(57)【特許請求の範囲】
【請求項１】
車室内に配置される半円形状の縦壁と同縦壁の円弧形の縁部から車室外方向へ突き出る半円筒形の横壁とを有し、車両前後方向に沿って配置されるホイールハウスインナと、
前記縦壁および前記横壁の下端部に形成された被接合部と、
前記ホイールハウスインナにおける車両前後方向の途中から一方の端までのうち、前記被接合部の上側の縦壁部分および横壁部分を車室外へ凹ませた凹部と
を備えるホイールハウスインナ構造であって、
前記凹部は、
前記縦壁と前記横壁とが交差する交差部よりも車室外に退避した位置に配置され、前記交差部と連続して前記ホイールハウスインナの一方の端まで延びる第１稜線と、
前記被接合部の直上の横壁部分に、前記被接合部よりも車室外に退避した位置に配置され、前記第１稜線の端と連なり前記被接合部に沿って延びる第２稜線と、
上部に凸が車室内に向く第１曲り部を有し、下部に凸が車室外に向く第２曲り部を有し、かつ前記凹部の凹ませた部位を占め、前記第１曲り部が前記第１稜線をなし、前記第２曲り部が前記第２稜線をなすように形成された凹み壁部と
を有することを特徴とするホイールハウスインナ構造。
【請求項２】
前記凹み壁部の第１曲り部と第２曲り部との間は、当該両曲り部が連続する曲面で形成されること特徴とする請求項１に記載のホイールハウスインナ構造。
【請求項３】
前記ホイールハウスインナの縦壁は、前記第２稜線と連なり、前記被接合部に沿って前記ホイールハウスインナの他方の端まで延びるビード部を有することを特徴とする請求項１または請求項２に記載のホイールハウスインナ構造。
【発明の詳細な説明】
【技術分野】
【０００１】
本発明は、ホイールハウスインナに凹部を形成したホイールハウスインナ構造に関する。
【背景技術】
【０００２】
ワゴンなど、フロントシート（第１席）の後方に、例えば第２席などリヤシートを備える自動車（車両）では、リヤホイールハウスインナと隣接してリヤシートが配置されることが多い。
自動車では、できるだけ車室内の空間を稼ぐことが求められる。そこで、リヤシートのシート幅を拡大して、車室内の空間を拡大することが考えられる。
【０００３】
このためには、リヤホイールハウスインナの車両前後方向前部に、車室外へ凹ませた凹部を形成して、この凹部内までリヤシートを配置させる構造にし、リヤシートの側部を、できるだけ車室の内面に近付けることが考えられる。むろん、凹部は、タイヤと干渉しない隙間を確保できる位置まで凹ませる。
そこで、特許文献１に開示されているようにホイールハウスインナの車両前後方向の片側全体を車室外へ凹ませることが考えられる。
【０００４】
しかし、ホイールハウスインナの片側全体の外形を変更させると、ホイールハウスインナとフロアパネルとが接合する位置は、当初のホイールハウスインナとは大きく異なってしまう。これでは、ホイールハウスインナとフロアパネルの接合の仕方に影響を与え、フロアパネルまで変更することが余儀なくされる。
そこで、ホイールハウスインナの下端部の被接合部（フロアパネルなどが接合される部分）は、変更せずそのまま残して、被接合部の上側に位置する部分（片側）を車室外へ凹ませた凹部を形成することが考えられる。
【先行技術文献】
【特許文献】
【０００５】
【特許文献１】特開平１０−２５０６２５号公報
【発明の概要】
【発明が解決しようとする課題】
【０００６】
しかし、単に凹部を形成したのでは、ホイールハウスインナの剛性強度を確保している稜線が損なわれ、凹部が形成される部分の剛性強度が低下する。ホイールハウスインナは、フロアパネルからルーフに向かうピラー部材の根元に配置される部品なので、こうした剛性強度の低下は、車体全体の剛性を低下させる要因ともなる。
こうした場合、一般には、別途、補強部材を付け加えることで対処するが、これだと、補強部材が付加される分、凹部空間の確保が難しくなり、当初の車室内空間を拡大する目的が果たせなくなる。
【０００７】
そこで、本発明の目的は、簡単な構造で、凹部を有するホイールハウスインナの剛性強度が確保できるホイールハウスインナ構造を提供する。
【課題を解決するための手段】
【０００８】
本発明の態様は、車室内に配置される半円形状の縦壁と同縦壁の円弧形の縁部から車室外方向へ突き出る半円筒形の横壁とを有し、車両前後方向に沿って配置されるホイールハウスインナと、縦壁および横壁の下端部に形成された被接合部と、ホイールハウスインナにおける車両前後方向の途中から一方の端までのうち、被接合部の上側の縦壁部分および横壁部分を車室外へ凹ませた凹部とを備えるホイールハウスインナ構造であって、凹部は、縦壁と横壁とが交差する交差部よりも車室外に退避した位置に配置され、交差部と連続してホイールハウスインナの一方の端まで延びる第１稜線と、被接合部の直上の横壁部分に、被接合部よりも車室外に退避した位置に配置され、第１稜線の端と連なり被接合部に沿って延びる第２稜線と、上部に凸が車室内に向く第１曲り部を有し、下部に凸が車室外に向く第２曲り部を有し、かつ凹部の凹ませた部位を占め、第１曲り部が第１稜線をなし、第２曲り部が第２稜線をなすように形成された凹み壁部とを有するものとした（請求項１）。
【０００９】
好ましくは、凹み壁部の第１曲り部と第２曲り部との間は、当該両曲り部が連続する曲面で形成されるものとした（請求項２）。
好ましくは、ホイールハウスインナの縦壁は、第２稜線と連なり、被接合部に沿ってホイールハウスインナの他方の端まで延びるビード部を有するものとした（請求項３）。
【発明の効果】
【００１０】
本発明によれば、凹部の周囲の剛性強度は、凹部上側に形成されるアーチ形の第１稜線、凹部下側に形成される被接合部直上の第２稜線、さらに両稜線間の凹み壁部（凹部の底）によって、十分に確保される。しかも、凹み壁自身の剛性強度も、二種類の曲り部により高められる、
それ故、ホイールハウスインナは、被接合部はそのままに、凹部が形成されても、十分なる剛性強度が確保できる。しかも、確保される剛性強度は、凹ませた部位を占める壁、すなわち凸が車室内・外に反対方向に向く曲り部を上下部に有した凹み壁部を用いるだけでよく、簡単な構造ですむ（請求項１）。
【００１１】
特に凹み壁部の上下の曲り部の間を同曲り部がなす曲面で連続させることにより、凹み壁部は、十分なる剛性強度が確保しやすい（請求項２）。そのうえ、ホイールハウスインナの縦壁に、下部の稜線と連なるビード部を設けることにより、ホイールハウスインナの縦壁周囲は、第１，２稜線やビード部がなす稜線で囲まれるので、高い剛性強度が確保できる（請求項３）。
【図面の簡単な説明】
【００１２】
【図１】車体に組み付けられたホイールハウスインナを、フロアパネル、タイヤ、車内壁と共に示す斜視図。
【図２】ホイールハウスインナの、凹部が形成される部分を説明するための斜視図。
【図３】凹部が形成されたホイールハウスインナの全体を示す斜視図。
【図４】図３中のＡ−Ａ線に沿う、凹部を通る断面図。
【発明を実施するための形態】
【００１３】
以下、本発明を図１から図４に示す一実施形態にもとづいて説明する。
図１は、本発明を適用した車両、例えばワゴン車のリヤ側を示している。
ワゴン車の主な構造について説明すると、図１中１はワゴン車（車両）の車体、３は同車体１内に形成される車室内、５は同車室内３のリヤフロアを形成するフロアパネル、７は同車体１の車室内壁を形成するリヤクォータインナパネル、９は同リヤクォータインナパネル７の上部に設けられたリヤピラーインナパネル（リヤパネルを形成する部品）である。リヤクォータインナパネル７の下部には、リヤホイールハウスインナ１１（本願のホイールハウスインナに相当）が設けられている。このリヤホイールハウスインナ１１内にリヤタイヤ１３が収まる。またフロアパネル５上には、リヤホイールハウスインナ１１と並んで、リヤシート１５が据え付けられている。
【００１４】
リヤホイールハウスインナ１１は、図２および図３にも示されるようにリヤタイヤ１３を上部から囲う半円筒形をなしている。具体的にはリヤホイールハウスインナ１１は、車室内３に配置される半円形状の縦壁１７と、同縦壁１７の円弧形の縁部から車室外方向へ突き出た半筒形の横壁１９とを有している。そして、横壁１９の先端部に形成されたフランジ部１９ａは、リヤクォータインナパネル７に形成してある半円形開口部の開口縁部（いずれも図示しない）に接合（例えば溶接など）される。またＣ形に連なる横壁１９〜縦壁１７〜横壁１９の下端には、被接合片部２１（本願の被接合部に相当）が形成されている。このＣ形をなす被接合片部２１は、フロアパネル５の車幅方向端に形成された角形の切欠部の開口縁部（いずれも図示しない）に接合（例えば溶接など）され、リヤタイヤ１３の上部（車室内側）を上側から覆う。
【００１５】
同自動車は、車室内３のスペースを稼ぐため、リヤシート１５のシート幅（ここではシートクッション１５ａ、シートバッグ１５ｂを含む全体）を大きくしてある。このため、リヤホイールハウスインナ１１には、増加したシート幅を受け入れられるよう、リヤシート１５のシートクッション１５ａの側部やシートバッグ１５ｂの側部とラップする車両前後方向の端側、ここでは前部に凹部２５が設けられている。
【００１６】
ここでは、図１２中の一点鎖線で示すリヤホイールハウスインナ１１の車両前後方向前側の領域αに荷重Ｆを加えて車室外へ凹ませ、同領域αに図１３に示されるような凹部２５を形成している。ちなみに、図１２は凹部２５を設ける前の状態、図１３は凹部２５を設けた後の状態を示す。
つまり、凹部２５は、リヤホイールハウスインナ１１の車両前後方向の途中から前部端（一方の端）までの、被接合片部２１から上側の縦壁部分や横壁部分を車室外へ凹ませて、リヤシート１５の端部分を許容する空間を得ている。むろん、凹部２５は、リヤタイヤ１３と干渉しない範囲で凹ませている。
【００１７】
このリヤホイールハウスインナ１１は、この凹部２５の底を占める凹み壁２７（本願の凹み壁部に相当）を用いて、剛性強度を高め、凹部２５での剛性強度の低下を防いでいる。この剛性強度を確保する構造が図３の斜視図、図４の断面図（図３中のＡ−Ａ線）に示されている。
同構造を説明すると、凹部２５は、上側に、縦壁１７と横壁１９とが交差する交差部１８と連なるアーチ形の稜線２９（本願の第１稜線に相当）を有し、下側である被接合片部２１の直上の当該被接合片部２１から車室外へ退避した位置に、直線形の稜線３１（本願の第２稜線に相当）を有する。このうち稜線２９は、交差部１８から車室外に退避した位置に配置されている。つまり、稜線２９は、交差部１８から車室外に退避した状態のまま、当該交差部１８がなす稜線と連なって、リヤホイールハウスインナ１１の前部端まで連続して配置される。稜線３１は、稜線２９の前部側の端から被接合片部２１に沿って、凹部２５の後部側の端まで直線状に配置される。
【００１８】
凹み壁２７は、凹部２５の後部側の端をなす凹み起点Ｓを有している。すなわち、凹み起点Ｓは、稜線２９，３１端と連なる上下方向に延びる稜線、ここでは斜め前方へ延びる稜線で形成される。凹み壁２７は、この凹み起点Ｓから、稜線２９，３１にならって、リヤホイールハウスインナ１１の前部端まで形成され、領域α（図２）となる、凹み起点Ｓ、被接合片部２１の直上、アーチ形の稜線２９とで囲まれる扇形の領域を凹ませている。
【００１９】
ここで、図１３および図１４に示されるように凹み壁２７の上部では、凸が車室内３側に向くアーチ形の曲面部３５（本願の第１曲り部に相当）が形成され、下部では、これとは反対に、凸が車室外に向く曲面部３７（本願の第１曲り部に相当）が形成されている。このうち曲面部３５は、円弧の頂点Ｘの位置（図３，４）が稜線２９と合致する形状、すなわちアーチ形を描くように曲成されている。つまり、稜線２９は、曲面部３５の円弧から形成される。また曲面部３７は、円弧の頂点Ｙの位置（図３，４）が稜線３１と合致する形状、すなわち直線形に曲成されている。つまり、稜線３１は、曲面部３７から形成される。そして、この曲面部３７の下端が、被接合片部２１直上の車室外へ向かって曲がるコーナ部２１ａへと続いている（図３，４）。なお、曲面部３５と曲面部３７との間の壁部分は、高い剛性とするため、両曲面部３５，３７のなす曲面が連続する曲面部分で形成されている。
【００２０】
凹部２５の周囲は、こうした曲面部３７の円弧面で凹部２５の上側にアーチ形の稜線２９を形成、曲り部３９の円弧面で凹部２５の下側に直線形の稜線３１を形成することにより、剛性が確保される。特に凹部２５の周りでは、凸が車室内３に向く曲面部３５と、凸が車室外に向く曲面部３７とがＣ形に組み合わさるので、更なる剛性が期待される。そのうえ、凹み壁２７は、二種類の曲面部３５，３７にて自身の剛性が高められるから、凹部２５自身の剛性も十分に確保される。
【００２１】
それ故、リヤホイールハウスインナ１１は、被接合片部２１はそのままに、端側に凹部２５が形成されても、十分なる剛性強度を確保することができる。しかも、確保される剛性強度は、凹ませた部位を占める壁部である、凸が車室内・外に反対方向に向く曲面部３５，３７を上・下部に有した凹み壁２７を用いただけなので、簡単な構造ですむ。
そのうえ、凹み壁２７は、曲面部３５，３７間を同曲面部３５，３７の曲面で連続させてあるので、高い剛性強度が確保できる。
【００２２】
特に、図３に示されるように稜線３１端と隣接するリヤホイールハウスインナ１１の縦壁１７の下端、ここでは被接合片部２１をなす壁部分に、ビード部４１を形成することにより、リヤホイールハウスインナ１１は、高い剛性強度が確保できる。
すなわち、ビード部４１は、例えばジグザグしながら被接合片部２１に沿って直線状に延びる帯形溝で形成されている。すなわち、ビード部４１は、一端が凹み起点Ｓに有る稜線３１の端とオーバラップし、他端が縦壁１７の後端（リヤホイールハウスインナ１１の車幅方向後端部：他方の端）まで延びる溝で形成されている。これにより、リヤホイールハウスインナ１１の縦壁１７周囲は、交差部１８がなす稜線、稜線２９，３１およびビード部４１がなす稜線で囲まれ、高い剛性強度が得られる。ちなみに、ここではビード部４１は、リヤホイールハウスインナ１１を成形する際に生じる皺を防ぐビード部も兼ねている。
【００２３】
なお、上述した一実施形態における各構成およびそれの組合わせ等は一例であり、本発明の趣旨から逸脱しない範囲内で、構成の付加、省略、置換、およびその他の変更が可能であることはいうまでもない。また本発明は、一実施形態によって限定されることはなく、「特許請求の範囲」によってのみ限定されることはいうまでもない。
【符号の説明】
【００２４】
１  車体
１１  リヤホイールハウスインナ（ホイールハウスインナ）
１７  縦壁
１８  交差部
１９  横壁
２１  被接合片部（被接合部）
２５  凹部
２７  凹み壁（凹み壁部）
２９  稜線（第１稜線）
３１  稜線（第２稜線）
３５  曲面部（第１曲り部）
３７  曲面部（第２曲り部）
４１  ビード部
【図１】
0006344560.tif 000002
【図２】
0006344560.tif 000003
【図３】
0006344560.tif 000004
【図４】
0006344560.tif 000005